(57)【要約】      （修正有）【課題】枠部材と格子部材との結合強度を向上させたラティスを提供することを目的とする。また、主として樹脂材からなるラティス構造体を構築することにより、廃棄処理の際、分別の手間がかからないようにしたラティスの提供。【解決手段】樹脂製の枠部材２、２、２、２から直角四辺形が形成され、この四辺の中に樹脂製の複数の格子部材３が掛け渡されたラティスにおいて、前記枠部材２の各内壁２５の長手方向に突起２７を直線状に設け、かつ、前記複数の格子部材３の各側壁３１の先端部にスリット３５を設け、前記突起２７に前記スリット３５が嵌着されることにより、前記枠部材２と前記格子部材３とが結合されるよう構成する。【選択図】図２
0003111919.tif 000002
【実用新案登録請求の範囲】
【請求項１】
樹脂製の枠部材２、２、２、２から直角四辺形が形成され、
この四辺の中に樹脂製の複数の格子部材３が掛け渡されたラティスにおいて、
前記枠部材２の各内壁２５の長手方向に突起２７を直線状に設け、
かつ、前記複数の格子部材３の各側壁３１の先端部にスリット３５を設け、
前記突起２７に前記スリット３５が嵌着されることにより、
前記枠部材２と前記格子部材３とが結合されることを特徴とするラティス。
【考案の詳細な説明】
【技術分野】
【０００１】
この考案は、ラティスの四辺を構成する外枠と、中の格子部材とを結合した構造体に関する。詳しくは、ラティスの枠部材と中において掛け渡される格子部材との結合方法を工夫することにより、ラティス全体に剛性を持たせるとともに、ラティスを廃棄処理する際に材質毎の分別を容易にした枠部材と格子部材との結合体に関する。
【背景技術】
【０００２】
ラティスは複数の格子部材が掛け渡されて垂直壁を形成し、この周囲は枠部材によって直角四辺形に組み上げられ、これらの枠部材がラティスの外周四辺を形成する。図６に、従来の方法による枠部材と格子部材との結合について示す。図６（ａ）は枠部材と格子部材との結合部位の断面図、図６（ｂ）は結合部位の側面図である。図示のように、枠部材２の下部にコの状に形成された凹部２０３を備え、この部位に格子部材３の端部を嵌め込んだものである。この場合、単に凹部２０３に格子部材３の端部を嵌め込んだだけなので、枠部材３の強度が十分でないと、格子部材３が凹部２０３から外れ易く、枠部材２と格子部材３との結合が解かれ易い。
【０００３】
図７に、従来の他の方法による枠部材と格子部材との結合について示す。図７（ａ）は枠部材と格子部材との結合部位の断面図、図７（ｂ）は結合部位の側面図である。図示のように、枠部材２の下部にコの状に形成された凹部２０３を備え、この部位に格子部材３の端部を嵌め込むとともに、凹部２０３に嵌め込んだ格子部材３に狙いを定め、釘６を枠部材２の外から凹部２０３を経て格子部材３を貫通させたものである。この場合、釘６が固着されて間はよいが、釘６が外れ易く、また、釘６の頭部が枠部材２の外に露出しているため見栄えが悪い。
【０００４】
また、図８に、従来の他の方法による枠部材と格子部材との結合について示す。図８（ａ）は枠部材と格子部材との結合部位の断面図、図８（ｂ）は凹部２０３の断面図である。図示のように、枠部材２の下部にコの状に形成された凹部２０３を備え、この部位に格子部材３の端部を嵌め込むとともに、凹部２０３の内周面に凹凸の突起を有する鋸歯部２０４を設けたものである。この場合、格子部材３に鋸歯部２０４の歯先が固く嵌合するので、凹部２０３と格子部材３との間のアソビが少なくなり、格子部材３は枠部材２と堅固に結合される。しかしながら、枠部材２と格子部材３との結合強度は十分とはいえない。
【考案の開示】
【考案が解決しようとする課題】
【０００５】
以上、従来のラティスには、種々の問題点がある。
【０００６】
即ち、従来の枠部材と格子部材との結合体の問題点の第一は、枠部材と格子部材との嵌合隙間が大きいので、結合が堅固にならず格子部材が枠部材から外れ易い。
【０００７】
第二に、従来は、枠部材と格子部材との結合のために釘等を使用するので釘６の頭部が外に露出して見栄えが悪い。また、枠部材と格子部材を構成する樹脂あるいは木材の他に、釘等の金属を使用するのでラティスを廃棄処理する際、樹脂、木、金属毎に分別する必要があり手間がかる。
【０００８】
そこで、本考案は、このような従来の持つ問題点を解決するためになされたもので、ラティスの四辺を構成する枠部材と、四辺の中において掛け渡される格子部材との結合方法を工夫することにより、枠部材と格子部材とのアソビをなくして結合強度を向上させたラティスを提供することを目的とする。
【０００９】
さらに、本考案は、主として樹脂材からなるラティス構造体を構築することにより、廃棄処理の際、材質毎の分別の手間がかからないようにしたラティスを提供することを目的としている。
【課題を解決するための手段】
【００１０】
前記目的を達成するために、請求項１の考案は、樹脂製の枠部材２、２、２、２から直角四辺形が形成され、この四辺の中に樹脂製の複数の格子部材３が掛け渡されたラティスにおいて、前記枠部材２の各内壁２５の長手方向に突起２７を直線状に設け、かつ、前記複数の格子部材３の各側壁３１の先端部にスリット３５を設け、前記突起２７に前記スリット３５が嵌着されることにより、前記枠部材２と前記格子部材３とが結合されることを特徴とする。
【考案の効果】
【００１１】
樹脂製の枠部材に突起を設けるとともに、樹脂製の格子部材の端部にスリットを設けることにより、突起にスリットを嵌着させて格子部材と枠部材との結合強度を上げ、延いては、ラティスの型崩れを防止することができる。さらに、枠部材と格子部材とも樹脂製なので、廃棄処理する際に、材質毎の分別の必要がない。さらに、格子部材と枠部材が空洞なので、ラティスの軽量化に寄与する等の効果を奏するものである。
【考案を実施するための最良の形態】
【００１２】
本考案の実施の形態を、添付図面に例示した本考案の実施例に基づいて以下に具体的に説明する。
【実施例】
【００１３】
先ず、本考案の実施例について、図１〜図５を参照しながら説明する。図１は、ラティスの正面図を示す。図２は、同上、コーナーブロックを介して枠部材と格子部材とが結合された状態を示し、図２（ａ）は隅部における拡大図、図２（ｂ）は断面図である。図３は枠部材を示し、図３（ａ）は断面図、図３（ｂ）は切り口の斜視図である。図４は格子部材を示し、図４（ａ）は、格子部材が交差して掛け渡された状態の平面図、図４（ｂ）はその側面図、図４（ｃ）は、図４（ｂ）の格子部材の端部Ｚの拡大図、図４（ｄ）は、図４（ａ）の格子部材の端部Ｙの拡大図である。図５は、同上、コーナーブロックを介して枠部材と格子部材とが結合された状態を示し、図５（ａ）は、同上、隅部の結合状態を示す平面図、図５（ｂ）はその断面図である。
【００１４】
本考案のラティスは、図１に示すように、樹脂製の複数の格子部材３がＸ字状に交差して垂直壁を形成し、この周囲は樹脂製の枠部材２、２、２、２によって直角四辺形に組み上げられ、これらの枠部材２は、ラティス１の外周四辺を形成する。
【００１５】
ラティスの四辺において、枠部材２と格子部材３の先端部とが結合されるとともに、ラティスの四隅部においては、コーナーブロック４を介して枠部材２と格子部材３とが結合されることによって、ラティス１の全体が直角四辺形に形成される。
【００１６】
枠部材２については、断面を図３（ａ）、切り口を図３（ｂ）に示すように、樹脂成形品で、空洞にして軽量化されたものである。枠部材２の周殻は、左右の側壁２１、上方の天井壁２２、下方における左右の底壁２３、２３とこれ等と直角に内方へ立ち上がる左右の内壁２５、２５から構成され、そして、中壁２４が内壁２５、２５の天井を形成する。そして、これ等の周殻を支持するように枠部材２の空洞の中でリブ２６が交叉し、また、これらが長手方向に貫通する。左右の内壁２５、２５には、それぞれ、突起２７、２７を備え、図３（ｂ）に示すように、突起２７は枠部材２の長手方向に直線状に延びる。ここで、枠部材２の材質は、例えば、耐候性を有するＡＡＳ樹脂（アクリロニトル・アクリル・スチレン）の他、ＡＢＳ（アクリロニトル・ブタジエン・スチレン）、ＡＥＳ（アクリロニトル・エチレンプロピレンゴム・スチレン）、ＰＶＣ（ポリ塩化ビニル）、ＰＡ（ポリアミド）、ＰＢＴ（ポリブチレンテレフタレート）、ＰＣ（ポリカーボネート）、ＰＯＭ（ポリオキシメチレン）、ＰＳ（ポリスチレン）、ＰＥ（ポリエチレン）、ＰＰ（ポリプロピレン）等の樹脂を使用することでも問題ない。
【００１７】
格子部材３については、図５（ｂ）に示すように直角四辺形の断面を示し、樹脂成形品で、空洞にして軽量化されたものである。一方、強度を補強するため、空洞の中を長手方向に細いリブ３４が貫通している。格子部材３は、側壁３１、天井壁３２、底壁３３により構成される。細長い格子部材３を複数、Ｘ字状に交差して板状に掛け渡した状態を図４に示す。図４（ａ）は、格子部材３が交差して重なり、格子部材３の先端部に枠部材２が外周から嵌合される前の状態である。この周辺部に示すように、斜めに交叉する格子部材３の長手方向先端部のそれぞれに、スリット３５を備える。これ等のスリット３５は、外周から嵌合される枠部材２、２、２、２に平行に刻まれる。そして、格子部材３が交差して重なり合った部位は接着剤で貼着される。この側面図を図４（ｂ）に示し、この先端部Ｚの拡大側面図を図４（ｃ）に示す。格子部材３の側壁３１の先端には、前述したスリット３５を備える。ここで、格子部材３の材質は、例えば、耐候性を有するＡＡＳ樹脂（アクリロニトル・アクリル・スチレン）の他、ＡＢＳ（アクリロニトル・ブタジエン・スチレン）、ＡＥＳ（アクリロニトル・エチレンプロピレンゴム・スチレン）、ＰＶＣ（ポリ塩化ビニル）、ＰＡ（ポリアミド）、ＰＢＴ（ポリブチレンテレフタレート）、ＰＣ（ポリカーボネート）、ＰＯＭ（ポリオキシメチレン）、ＰＳ（ポリスチレン）、ＰＥ（ポリエチレン）、ＰＰ（ポリプロピレン）等の樹脂を使用することでも問題ない。
【００１８】
次に、ラティスの四隅において、コーナーブロック４を介して枠部材２と格子部材３とが結合される関係を図２、５を参照しながら説明する。枠部材２の四隅部位は、図２（ａ）に示すように、コーナーブロック４の支柱４１を挟んで、図３（ｂ）に示す切り口２８を有する枠部材２、２を左右から突合せる。即ち、図２（ａ）、図５（ａ）に示すように、枠部材２、２の切り口２８、２８の対向面の間にはコーナーブロック４の支柱４１が挟着されるとともに、ボタン５、５によって対向する枠部材２、２とコーナーブロック４とが結合され、ラティスの四隅が形成される。図３（ｂ）に示すように、枠部材２の切り口２８の傾斜角度Ｐは４５度である。
【００１９】
以上のように構成され、次に作用について説明する。
【００２０】
図４（ａ）に示すように、複数の格子部材３がＸ字状に交差して掛け渡され、全体が直角四辺形に形成される。この状態に加えて、四辺を構成する枠部材２、２、２、２が四方から格子部材３の先端部に嵌合され、図１に示すようにラティスの全体が直角四辺形に形成される。格子部材３の先端部は、外方から嵌め込まれる枠部材２、２、２、２に平行にスリット３５が刻まれる。一方、枠部材２には、凹状のスリット３５に嵌合するように、凸状の突起２７が枠部材２の長手方向直線状に設けられる。図２（ｂ）に拡大して断面を示すように、格子部材３に設ける凹状のスリット３５に、枠部材２に設ける凸状の突起２７が枠部材２の長手方向において嵌合されることにより、枠部材２と格子部材３とが結合される。このようにして、ラティス１の外周四辺で枠部材２、２、２、２と複数の格子部材３の両端部が堅固に嵌着される。
【００２１】
一方、図２（ａ）に拡大して示すように、ラティス１の四隅で、コーナーブロック４のウイング４２を貫通してボタン５が枠部材２の中壁２４に圧入されることにより、枠部材２とコーナーブロック４とが結合されて隅が略直角に形成される。この時、図３（ｂ）に示すように、枠部材２に備える切り口２８、２８の先端部の傾斜角度Ｐ、Ｐは略４５度なので、コーナーブロック４の先端部に備える係止部４３、４３の内角に一致し、左右から切り口２８、２８がコーナーブロック４の支柱４１、４１の左右両面と対面して隅部が略直角に形成される。同時に、ラティス１の外周四辺では、枠部材２と格子部材３の長手方向先端部とが結合される。
【００２２】
このようにして、図１に示すように、四隅ではコーナーブロック４を介して左右から枠部材２、２が結合するとともに、四辺では枠部材２と複数の格子部材３とが結合してラティス１の全体が直角四辺形に組み上がる。
【産業上の利用可能性】
【００２３】
なお、枠部材と格子部材との結合体である本考案のラティス構造体の使途は、全体が正方形あるいは長方形を含む直角四辺形のもので、四隅が略直角を有する構造体を対象とする。例えば、屋外の庭や壁面等において、エクステリアフェンス、バルコニーパネル、ゲート、パーテーション、ルーバとして用いたり、花卉類や観葉植物等を植栽した植木鉢、プランター等を掛けたりする用途がある。また、屋内でパーテーションとして用い、あるいは、日用品や装飾品を掛けるためのインテリアパネルに用いることでも勿論よい。また、ラティスの枠部材の中における格子部材については、Ｘ字に交差するラティスの他、複数の格子が直角に交差したり、ルーバのように複数の格子が平行に掛け渡されるものでもよい。
【図面の簡単な説明】
【００２４】
【図１】本考案のラティスの正面図を示す。
【図２】本考案のラティスにおける、枠部材と格子部材とが結合された状態を示す。
【図３】同上、枠部材の断面および切り口を示す。
【図４】同上、格子部材が掛け渡された状態を示す。
【図５】同上、枠部材と格子部材とが結合された状態を示す。
【図６】従来のラティスにおける、枠部材と格子部材とが結合された状態を示す。
【図７】同上、枠部材と格子部材とが結合された状態を示す。
【図８】同上、枠部材と格子部材とが結合された状態を示す。
【符号の説明】
【００２５】
１  ラティス
２  枠部材
２１  側壁
２２  天井壁
２３  底壁
２４  中壁
２５  内壁
２６  リブ
２７  突起
２８  切り口
２０３  凹部
２０４  鋸歯部
３  格子部材
３１  側壁
３２  天井壁
３３  底壁
３４  リブ
３５  スリット
４  コーナーブロック
４１  支柱
４２  ウイング
４３  係止部
５  ボタン
６  釘
【図１】
0003111919.tif 000003
【図２】
0003111919.tif 000004
【図３】
0003111919.tif 000005
【図４】
0003111919.tif 000006
【図５】
0003111919.tif 000007
【図６】
0003111919.tif 000008
【図７】
0003111919.tif 000009
【図８】
0003111919.tif 000010